(57)【要約】      （修正有）【課題】低い位置にて物干し具のピンチに濡れて重い洗濯物などを掛け、これを高い位置に楽に上昇させることができるようにした物干し具用昇降装置を提供する。【解決手段】物干し具用昇降装置は、物干し具１０の懸架部１１との連結手段を有する下位部材２に一端を固定したロープ４の他端を、フックを有する上位部材３の第１滑車の上を回し、下位部材の第１滑車の下を回し、更に上位部材の第２滑車の上を回して下位部材の第２滑車の下を回し、再び、上位部材の第３滑車の上を回して下位部材に備えたストッパ手段を経て垂下させる。【選択図】図１
0003162828.tif 000002
【実用新案登録請求の範囲】
【請求項１】
物干し具の懸架部との連結手段を有する下位部材に一端を固定したロープの他端を頂部にフックを有する上位部材の第１滑車の上を回し、下位部材の第１滑車の下を回し、更に上位部材の第２滑車の上を回して下位部材の第２滑車の下を回し、再び、上位部材の第３滑車の上を回して下位部材に備えたストッパ手段を経て垂下させたことを特徴とする物干し具用昇降装置。
【請求項２】
物干し具の懸架部との連結手段を有する下位部材に一端を固定したロープの他端を頂部にフックを有する上位部材の第１滑車の上を回し、下位部材の第１滑車の下を回し、更に上位部材の第２滑車の上を回して下位部材の第２滑車の下を回し、再び、上位部材の第３滑車の上を回して下位部材に備えたストッパ手段を経て垂下させてなり、該ストッパ手段が、ロープの通路を挟んで摩擦面を有する可動片と、固定軸とを備え、前記ロープを物干し具の重さに抗して下方向に引きつつ可動片の摩擦面に接触させる方向に回動させてから引く力を解除すると、該可動片が回動してロープを摩擦面で前記固定軸に密接固定させる一方、前記ロープの固定状態からロープをいったん下方向に引きつつ可動片からの離反方向に回動させてから引く力を解除すると、物干し具が自重により下動するようになっていることを特徴とする物干し具用昇降装置。
【考案の詳細な説明】
【技術分野】
【０００１】
本考案は、低い位置にて物干し具のピンチに洗濯物などを掛け、その物干し具を高い位置に移動させて太陽光や風に当てて洗濯物などを干し、干し終わった後、再び低い位置に移動させて取り込みできるようにした物干し具用昇降装置に関するものである。
【背景技術】
【０００２】
一般に、物干し具は、懸架部（フック）を有する角型や丸型の枠に、多数のピンチを吊り下げたものが多く、フックで天井吊り具や物干し竿に懸架させ、洗濯物などをピンチに吊って干すものである。この場合、洗濯物などをピンチに吊るときは、物干し具は低い位置にあれば作業し易いし、洗濯物などに太陽光や風に当てるときは、物干し具が高い位置にあれば好都合である。この技術として、従来、特開２００１−１１３０９５が開示されていた。この技術は、角型や丸型の枠を吊った環状部を貫通して縦長のスリーブを設け、該スリーブの頂部にフックを設けるとともに、スリーブ内の上位に滑車を設け、該滑車の上を回したロープの一端を前記枠の環状部に固定し、ロープの他端をスリーブの下端から外に引き出したものである。しかして、枠を低い位置にして洗濯物などをピンチに掛けた後、ロープの他端を下方に引くことによって前記枠を高い位置に上昇させ、その上昇点においてスリーブから弾性突部が突出して枠を支持できるようになっていた。
【特許文献１】特開２００１−１１３０９５
【考案の開示】
【考案が解決しようとする課題】
【０００３】
しかしながら、上記従来の物干し具は、低い位置で濡れて重い洗濯物などをピンチに掛けているため、大変重く（１０キロ位にもなる）、したがって、スリーブ内の上位に設けた一つの滑車の上を回したロープの他端を下方に引くには極めて大きな力が必要であり、力の弱い人には至極重労働であった。また、濡れて重い洗濯物をピンチに掛けた枠を、上昇点まで引き上げても、弾性突部がスリーブの穴から突出するまでは力を緩めることはできなかったばかりでなく、力が足りないか、途中で力が尽きてしまうと、洗濯物などを掛けた枠は低い位置に戻ってしまい、低い位置で干すことになってしまった。更に、上記従来のものは、枠を水平方向に回転させることが出来難く、洗濯物などをピンチに掛ける作業がしにくいという問題もあった。
【０００４】
本考案は、上記問題を解消するためのもので、その目的とするところは、低い位置にて物干し具の各ピンチに洗濯物などを掛け、重くなった物干し枠を高い位置に上昇させることが楽に行え、干し上がった後の物干し具を楽に低い位置に下降させることができるようにした物干し具用昇降装置を提供することにある。
【課題を解決するための手段】
【０００５】
上記目的を達成するため、本考案の物干し具用昇降装置は、物干し具の懸架部との連結手段を有する下位部材に一端を固定したロープの他端を頂部にフックを有する上位部材の第１滑車の上を回し、下位部材の第１滑車の下を回し、更に上位部材の第２滑車の上を回して下位部材の第２滑車の下を回し、再び、上位部材の第３滑車の上を回して下位部材に備えたストッパ手段を経て垂下させたことを特徴とし、低い位置で洗濯物などを掛け、重くなった物干し具を高い位置に楽に上昇させて太陽光や風に晒すことができ、干し上がった後、低い位置に楽に戻せるように構成した。
【０００６】
また、請求項２に記載の物干し具用昇降装置は、物干し具の懸架部との連結手段を有する下位部材に一端を固定したロープの他端を頂部にフックを有する上位部材の第１滑車の上を回し、下位部材の第１滑車の下を回し、更に上位部材の第２滑車の上を回して下位部材の第２滑車の下を回し、再び、上位部材の第３滑車の上を回して下位部材に備えたストッパ手段を経て垂下させてなり、該ストッパ手段が、ロープの通路を挟んで摩擦面を有する可動片と、固定軸とを備え、前記ロープを物干し具の重さに抗して下方向に引きつつ可動片の摩擦面に接触させる方向に回動させてから引く力を解除すると、該可動片が回動してロープを摩擦面で前記固定軸に密接固定させる一方、前記ロープの固定状態からロープをいったん下方向に引きつつ可動片からの離反方向に回動させてから引く力を解除すると、物干し具が自重により下動するようになっていることを特徴とし、低い位置や高い位置への移動（変更）及び移動位置が確実に保てるように構成した。
【考案の効果】
【０００７】
本考案によれば、上位部材に３つの滑車、下位部材に２つの滑車を設けたので、濡れて重い洗濯物を掛けた物干し具を、上昇点まで引き上げることが力の弱い人でも楽に行える上に、上昇途中で力が尽きてしまっても、洗濯物などを掛けた物干し具は低い位置まで戻ってしまうことはない。しかも、高い位置にて干し上がった洗濯物などを取り込むために、低い位置へ下ろすことも誰でも楽に行えるという優れた効果を奏するものである。
【０００８】
また、請求項２に記載の発明によれば、洗濯物などを吊った物干し具を、低い位置から高い位置、高い位置から低い位置への移動（変更）がスムースであり、しかもその移動位置が確実に保てるので、洗濯物を干すための好みの高さを自由に選べるという優れた効果を奏するものである。
【考案を実施するための最良の形態】
【０００９】
次に、本考案を実施するための最良の形態を図面に基づいて説明する。図１は本願の物干し具用昇降装置の斜視図、図２は昇降装置の正面図、図３はストッパ手段を示す断面図で、（ａ）は固定時、（ｂ）は上動及び下動の切り換え時である。
【００１０】
本願昇降装置１は、２つの滑車Ａ、Ｂを有する下位部材２と、３つの滑車Ｃ、Ｄ、Ｅを有する上位部材３と、これら各滑車Ａ、Ｂ及びＣ、Ｄ、Ｅに掛け回されたロープ４とからなる。このロープ４は、その一端４ａが下位部材２の対向壁２ａ、２ｂ間を貫通した滑車Ａ、Ｂの軸（ボルト）５に嵌めたリング６にループ７を作って固着（嵌合）されている。
【００１１】
前記ロープ４の他端４ｂは、前記上位部材３の第１滑車Ｃの上を回り、前記下位部材２の第１滑車Ａの下を回り、更に、上位部材３の第２滑車Ｄの上を回って再び下位部材２の第２滑車Ｂの下を回り、再度、上位部材３の第３滑車Ｅの上を回して下位部材２の側壁２b に取り付けたストッパ手段８を経て垂下している。このロープ４の他端４ｂの垂下端にはハンドル４ｃが固定されている。
【００１２】
前記下位部材２はその底面２ｃに設けた透孔９には物干し具１０の懸架部１１の中央に設けた縦孔（フックを取外した後に出来た孔）を貫通するナット付きボルト１２に前記透孔９の上からナット１３が締付けられるようになっている。この下位部材２の底面２ｃに設けた透孔９とナット付きボルト１２とナット１３の三者は、前記物干し具１０の懸架部１１を取り付けるための連結手段１４を構成している。該連結手段１４は、下位部材２の底面２ｃに透孔９に代えてループ部（図示せず）を設け、該ループ部に前記物干し具１０の懸架部１１の中央に立てたフックを引っ掛けられるようにしても良い。
【００１３】
前記物干し具１０は、図示の例では角型（丸型や変形型もある。）の側枠１０ａと端枠１０ａ′と側枠１０ａ間に渡設した桟１０ｂに、図示の如く、多数のピンチ（洗濯挟み具）Ｐが吊り下げられている。前記物干し具１０の懸架部１１は、山形状に側枠１０ａ間に渡設されている。勿論、側枠１０ａと端枠１０ａ′の交差角部に連繋した鎖（図示せず）の内端を中央に集めてフック付き枠体（図示せず）に連繋したものでもよい。
【００１４】
前記上位部材３は、水平方向に回動できるフック１５を有している。該フック１５は両端を竿掛けスタンド（図示せず）間に掛け渡された竿１６に引っ掛けるものである。もちろん、竿に代えて天井から吊り下げたリングに引っ掛けることもある。
【００１５】
前記ストッパ手段８は、前記ロープ４の通路を挟んで可動片１７と固定軸１８とを対向して備えている。可動片１７の固定軸１８の対向面は摩擦面（波状面）１７ａになっているとともに、その軸１７ｂを中心に回動できるようになっている。しかして、前記ロープ４は前記物干し具１０の重さ（洗濯物などがピンチに掛けちれると一層重くなる）で、常に、図３（ａ）の如く、矢印イ方向に引かれている。したがって、前記ロープ４は、矢印イ方向に引かれた状態で前記ストッパ手段８の可動片１７の摩擦面１７ａと、固定軸１８との間に食い込み固定されている。
【００１６】
また、前記ストッパ手段８による固定を解除するときは、ハンドル４ｃを握って、ロープ４を、図３（ｂ）の矢印ロの如く振ると、ロープ４は実線で示すように屈曲して可動片１７の摩擦面１７ａがロープ４より離反する。これによりロープ４からフリーとなった可動片１７ａは、その軸１７ｂを中心に回動する。この解除状態で、物干し具１０の重さにしたがってロープ４を徐々に緩めていくこととなる。一方、ストッパ手段８の解除状態から再びストッパ手段８を作動させるには、該ロープ４を矢印ニの方向に振り、図３（ｂ）の一点鎖線の如く、前記可動片１７の摩擦面１７ａに接触させる。その後、物干し具１０の重さにしたがってロープ４を緩めると、図３（ａ）の如く、固定される。
【００１７】
次に、本考案の作用について説明する。いま、図１の如く、高い位置にある竿１６にフック１５を介して上位部材３を引っ掛ける。この状態では下位部材２の底面２ｃは、連結手段１４を介して物干し具１０が連結している。この下位部材２には２つの滑車Ａ、Ｂがあり、上位部材３には３つの滑車Ｃ、Ｄ、Ｅが設けられ、前記ロープ４は、図２の如く、掛け渡されている。すなわち、ロープ４の一端４ａは下位部材２の対向壁２ａ、２ｂ間を貫通した滑車Ａ、Ｂの軸（ボルト軸）５に嵌めたリング６に固着され、該ロープ４の他端４ｂは、前記上位部材３の第１滑車Ｃの上を回り、前記下位部材２の第１滑車Ａの下を回って更に上位部材３の第２滑車Ｄの上を回って再び下位部材２の第２滑車Ｂの下を回り、更に上位部材３の第３滑車Ｅの上を回り、下位部材２に固着したストッパ手段８を経て物干し具１０を通して垂下している。この下端にはハンドル４ｃが取り付けられている。
【００１８】
まず、物干し具１０は、その重さにより矢印イ方向に引かれている状態にあって、図３（ａ）の如く、ロープ４が可動片１７の摩擦面１７ａと、固定軸１８との間に強く食い込んだ状態にある。この状態から物干し具１０に洗濯物などをかけるために低い位置に下げる。この場合には、ロープ４で、前記物干し具１０の重さを支えつつ、図３（ｂ）の矢印ロ方向に曲げる。これにより、ロープ４は実線の如く屈曲され、前記可動片１７の摩擦面１７ａからフリーになる。
【００１９】
この状態でロープ４を矢印ハの如く、ロープ４を前記物干し具１０の重さにしたがって緩めてゆく（矢印イ方向と同じ）。これにより物干し具１０は下動し、最下動点に達する前にロープ４を、図３（ｂ）の一点鎖線（矢印ニ方向）に屈曲させ、前記可動片１７の摩擦面１７ａに接触させる。これにより、矢印イ方向に引かれているロープ４は可動片１７を軸１７ｂを中心に矢印ホの如く回動させるから、ロープ４は図３（ａ）の如く、固定軸１８に強く押しつけられて低い位置にて静止する。
【００２０】
上記低い位置にある物干し具１０のピンチＰには、濡れている（湿っている）洗濯物などが掛け易くなる。洗濯物などで重くなった（１０キロ位になる）物干し具１０を太陽に当てるために高い位置に上昇させるには、ロープ４を物干し具１０の重さに抗して、図３（ｂ）の矢印ロ方向に曲げつつ可動片１７の摩擦面１７ａからフリーにし、この状態を維持しつつロープ４を矢印ト方向に引く。これにより前記物干し具１０は複数の滑車の作用で楽に上昇させることができる。
【００２１】
前記物干し具１０が上昇点に達したらロープ４を、図３（ｂ）の一点鎖線（矢印ニ方向）に屈曲させ、前記可動片１７の摩擦面１７ａに接触させつつロープ４を緩めると、可動片１７は軸１７ｂを中心に、矢印ホの如く、回動させられ、ロープ４を図３（ａ）の如く、固定軸１８に強く押しつけ、高い位置に静止させる。これにより太陽光や風に洗濯物などを晒すことができる。しかして、乾いた洗濯物などは、ロープ４を操作して物干し具１０を再び低い位置に移動させれば取り込み易くなる。
【産業上の利用可能性】
【００２２】
本願昇降装置は、上述の如く、洗濯物などをピンチに吊ったり、取り込むときは低い位置において楽に行い、洗濯物などを太陽光や風に晒すときは、軽い力で容易に高い位置へ移動できるもので、一般家庭はもちろん、看護施設や介護施設においても広く利用でき、したがって、利用可能性が極めて大きいものである。
【図面の簡単な説明】
【００２３】
【図１】本願の物干し具用昇降装置の斜視図である。
【図２】昇降装置の正面図である。
【図３】ストッパ手段を示す断面図で、（ａ）は固定時、（ｂ）は上下動切り換え時である。
【符号の説明】
【００２４】
１  本願昇降装置
２  下位部材
２ａ、２ｂ  対向壁
３  上位部材
４  ロープ
４ａ  ロープ一端
４ｂ  ロープ他端
５  軸（ボルト）
６  リング
７  ループ
８  ストッパ手段
９  透孔
１０  物干し具
１１  懸架部
１２  ナット付きボルト
１３  ナット
１４  連結手段
１５  フック
１６  竿
１７  可動片
１８  固定軸
Ａ、Ｂ、Ｃ、Ｄ、Ｅ  滑車
【図１】
0003162828.tif 000003
【図２】
0003162828.tif 000004
【図３】
0003162828.tif 000005